(57)【要約】【課題】出力端子の使用の有無による受信信号レベルの変動やアイソレーション劣化を防止することが可能な低価格の高周波分配回路を提供する。【解決手段】この高周波分配回路は、出力端子２２がレシーバに接続されている場合は高周波線路７の他方端を終端抵抗素子１４，１５を介して接地させ、出力端子２２にレシーバが接続されていない場合は高周波線路７の他方端から出力端子２３に高周波信号を通過させるスイッチ回路１０，１１を備える。したがって、入力端子１から出力端子２２，２３側を見た抵抗値は、出力端子２２，２３の使用の有無によらず一定になる。【選択図】図１
2008035325.tif 000002
【特許請求の範囲】
【請求項１】
複数の入力端子と２つの出力端子を備え、前記複数の入力端子に与えられた複数の高周波信号のうちのいずれかの高周波信号を各出力端子ごとに選択し、選択した高周波信号をその出力端子に与える高周波分配回路であって、
それぞれ前記２つの出力端子に対応して設けられた２つの高周波線路、
前記複数の入力端子に与えられた複数の高周波信号のうちのいずれかの高周波信号を各高周波線路ごとに選択し、選択した高周波信号をその高周波線路の一方端に与える選択回路、
各高周波線路に対応して設けられた複数の終端抵抗素子、および
各高周波線路の前記複数の終端抵抗素子に対応して設けられ、各々が、共通端子と第１の導通端子と第２の導通端子とを含み、第１の信号に応答して前記共通端子と前記第１の導通端子との間が導通し、第２の信号に応答して前記共通端子と前記第２の導通端子との間が導通する複数の切換回路を備え、
前記複数の切換回路は対応の高周波線路と対応の出力端子との間に直列接続され、
初段の切換回路の共通端子は対応の高周波線路の他方端に接続され、各切換回路の第１の導通端子は後段の切換回路の共通端子または対応の出力端子に接続され、各切換回路の第２の導通端子は対応の終端抵抗素子を介して接地され、
さらに、各出力端子に対応して設けられ、対応の出力端子に負荷回路が接続されている場合は、もう１つの出力端子に対応する各切換回路に前記第２の信号を与え、対応の出力端子に前記負荷回路が接続されていない場合は、もう１つの出力端子に対応する各切換回路に前記第１の信号を与える制御回路を備え、
前記２つの出力端子のうちのいずれか一方の出力端子のみに前記負荷回路が接続される、高周波分配回路。
【請求項２】
前記制御回路は、第１の期間においては、対応の出力端子に負荷回路が接続されている場合は、もう１つの出力端子に対応する各切換回路に前記第２の信号を与え、対応の出力端子に前記負荷回路が接続されていない場合は、もう１つの出力端子に対応する各切換回路に前記第１の信号を与え、第２の期間においては、対応の出力端子に前記負荷回路が接続されている場合は、対応の出力端子に対応する各切換回路に前記第１の信号を与え、対応の出力端子に前記負荷回路が接続されていない場合は、対応の出力端子に対応する各切換回路に前記第２の信号を与え、
前記第１および第２の期間は交互に繰り返される、請求項１に記載の高周波分配回路。
【請求項３】
複数の入力端子と複数の出力端子を備え、前記複数の入力端子に与えられた複数の高周波信号のうちのいずれかの高周波信号を各出力端子ごとに選択し、選択した高周波信号をその出力端子に与える高周波分配回路であって、
それぞれ前記複数の出力端子に対応して設けられた複数の高周波線路、
前記複数の入力端子に与えられた複数の高周波信号のうちのいずれかの高周波信号を各高周波線路ごとに選択し、選択した高周波信号をその高周波線路の一方端に与える選択回路、
各高周波線路に対応して設けられた複数の終端抵抗素子、および
各高周波線路の前記複数の終端抵抗素子に対応して設けられ、各々が、共通端子と第１の導通端子と第２の導通端子とを含み、第１の信号に応答して前記共通端子と前記第１の導通端子との間が導通し、第２の信号に応答して前記共通端子と前記第２の導通端子との間が導通する複数の切換回路を備え、
前記複数の切換回路は対応の高周波線路と対応の出力端子との間に直列接続され、
初段の切換回路の共通端子は対応の高周波線路の他方端に接続され、各切換回路の第１の導通端子は後段の切換回路の共通端子または対応の出力端子に接続され、各切換回路の第２の導通端子は対応の終端抵抗素子を介して接地され、
さらに、前記複数の出力端子のうちの負荷回路が接続されている出力端子に対応する各切換回路に前記第１の信号を与え、前記負荷回路が接続されていない出力端子に対応する各切換回路に前記第２の信号を与える制御回路を備えた、高周波分配回路。
【請求項４】
請求項１から請求項３までのいずれかに記載の高周波分配回路と、
受信した電波から前記複数の高周波信号を抽出するとともに低雑音増幅してそれぞれ前記複数の入力端子に与える復調回路とを備えた、ＬＮＢ。
【請求項５】
請求項４に記載のＬＮＢと、
衛星から出射された電波を反射して前記ＬＮＢに与える反射器とを備えた、アンテナ装置。
【発明の詳細な説明】
【技術分野】
【０００１】
この発明は高周波分配回路と、それを用いたＬＮＢおよびアンテナ装置に関し、特に、複数の入力端子と複数の出力端子を備えた高周波分配回路と、それを用いたＬＮＢおよびアンテナ装置に関する。
【背景技術】
【０００２】
図５は、従来の衛星放送システムの受信部の構成を示すブロック図である。図５において、この衛星放送システムの受信部は、反射器５１およびＬＮＢ（Low Noise Block down converter）５２を含むアンテナ５３と、レシーバ（負荷回路）５４，５５と、テレビ受像機５６，５７とを備える。
【０００３】
衛星から出射された電波αは、反射器５１を介してＬＮＢ５２に入射される。ＬＮＢ５２は、受信した電波αから複数チャンネルの映像信号を抽出するとともに低雑音増幅し、レシーバ５４，５５によって選択されたチャンネルの映像信号（高周波信号）をそれぞれレシーバ５４，５５に与える。ＬＮＢ５２の出力信号は、レシーバ５４，５５の各々においてＦＭ復調され、さらにビデオ信号およびオーディオ信号に変換されてテレビ受像機５６，５７に与えられる。テレビ受像機５６，５７の画面には、それぞれレシーバ５４，５５のチューナによって選択されたチャンネルの映像が表示される（たとえば特許文献１参照）。
【０００４】
このようなＬＮＢ５２内には映像信号を２つのレシーバ５４，５５に分配する高周波分配回路が設けられており、ＬＮＢ５２の電源電圧はレシーバ５４，５５から供給される。
【特許文献１】特開２００２−２１８３２９号公報
【発明の開示】
【発明が解決しようとする課題】
【０００５】
このようなＬＮＢ５２やＳＷ（switch）−ＢＯＸ等の各出力端子に接続される同軸線の特性インピーダンスおよびレシーバ５４，５５の入力インピーダンスは通常７５Ωになっている。このためＬＮＢ５２などにおいて、一方の出力端子で受信信号をモニタしているときに、他方の出力端子に何も接続しなければ、他方の出力端子で受信信号が全反射するため、他方の出力端子の接続の有無により、一方の出力端子でモニタしている受信信号のレベルに差異が生じたり、アイソレーションが劣化する等の問題がある。
【０００６】
使用しない出力端子を７５Ωの終端器で終端すれば、出力端子の使用の有無によるインピーダンス変化をなくすことができる。しかし、ＬＮＢやＳＷ−ＢＯＸなどの製品に終端器を付属させると、大幅なコスト高になる。
【０００７】
増幅器などにアッテネネータを挿入して出力端子からの反射信号のレベルを減衰させる方法もあるが、増幅器の利得を上げる必要があるため、消費電流の増加や、位相雑音の劣化などの弊害を生じる場合がある。
【０００８】
それゆえに、この発明の主たる目的は、出力端子の使用の有無による受信信号レベルの変動やアイソレーション劣化を防止することが可能な低価格の高周波分配回路と、それを用いたＬＮＢおよびアンテナ装置を提供することである。
【課題を解決するための手段】
【０００９】
この発明に係る高周波分配回路は、複数の入力端子と２つの出力端子を備え、複数の入力端子に与えられた複数の高周波信号のうちのいずれかの高周波信号を各出力端子ごとに選択し、選択した高周波信号をその出力端子に与える高周波分配回路であって、それぞれ２つの出力端子に対応して設けられた２つの高周波線路、複数の入力端子に与えられた複数の高周波信号のうちのいずれかの高周波信号を各高周波線路ごとに選択し、選択した高周波信号をその高周波線路の一方端に与える選択回路、各高周波線路に対応して設けられた複数の終端抵抗素子、および各高周波線路の複数の終端抵抗素子に対応して設けられ、各々が、共通端子と第１の導通端子と第２の導通端子とを含み、第１の信号に応答して共通端子と第１の導通端子との間が導通し、第２の信号に応答して共通端子と第２の導通端子との間が導通する複数の切換回路を備えたものである。ここで、複数の切換回路は対応の高周波線路と対応の出力端子との間に直列接続され、初段の切換回路の共通端子は対応の高周波線路の他方端に接続され、各切換回路の第１の導通端子は後段の切換回路の共通端子または対応の出力端子に接続され、各切換回路の第２の導通端子は対応の終端抵抗素子を介して接地される。この高周波分配回路は、さらに、各出力端子に対応して設けられ、対応の出力端子に負荷回路が接続されている場合は、もう１つの出力端子に対応する各切換回路に第２の信号を与え、対応の出力端子に負荷回路が接続されていない場合は、もう１つの出力端子に対応する各切換回路に第１の信号を与える制御回路を備える。２つの出力端子のうちのいずれか一方の出力端子のみに負荷回路が接続される。
【００１０】
好ましくは、制御回路は、第１の期間においては、対応の出力端子に負荷回路が接続されている場合は、もう１つの出力端子に対応する各切換回路に第２の信号を与え、対応の出力端子に負荷回路が接続されていない場合は、もう１つの出力端子に対応する各切換回路に第１の信号を与え、第２の期間においては、対応の出力端子に負荷回路が接続されている場合は、対応の出力端子に対応する各切換回路に第１の信号を与え、対応の出力端子に負荷回路が接続されていない場合は、対応の出力端子に対応する各切換回路に第２の信号を与える。第１および第２の期間は交互に繰り返される。
【００１１】
また、この発明に係る他の高周波分配回路は、複数の入力端子と複数の出力端子を備え、複数の入力端子に与えられた複数の高周波信号のうちのいずれかの高周波信号を各出力端子ごとに選択し、選択した高周波信号をその出力端子に与える高周波分配回路であって、それぞれ複数の出力端子に対応して設けられた複数の高周波線路、複数の入力端子に与えられた複数の高周波信号のうちのいずれかの高周波信号を各高周波線路ごとに選択し、選択した高周波信号をその高周波線路の一方端に与える選択回路、各高周波線路に対応して設けられた複数の終端抵抗素子、および各高周波線路の複数の終端抵抗素子に対応して設けられ、各々が、共通端子と第１の導通端子と第２の導通端子とを含み、第１の信号に応答して共通端子と第１の導通端子との間が導通し、第２の信号に応答して共通端子と第２の導通端子との間が導通する複数の切換回路を備えたものである。ここで、複数の切換回路は対応の高周波線路と対応の出力端子との間に直列接続され、初段の切換回路の共通端子は対応の高周波線路の他方端に接続され、各切換回路の第１の導通端子は後段の切換回路の共通端子または対応の出力端子に接続され、各切換回路の第２の導通端子は対応の終端抵抗素子を介して接地される。この高周波分配回路は、さらに、複数の出力端子のうちの負荷回路が接続されている出力端子に対応する各切換回路に第１の信号を与え、負荷回路が接続されていない出力端子に対応する各切換回路に第２の信号を与える制御回路を備える。
【００１２】
また、この発明に係るＬＮＢは、上記高周波分配回路と、受信した電波から複数の高周波信号を抽出するとともに低雑音増幅してそれぞれ複数の入力端子に与える復調回路とを備えたものである。
【００１３】
また、この発明に係るアンテナ装置は、上記ＬＮＢと、衛星から出射された電波を反射してＬＮＢに与える反射器とを備えたものである。
【発明の効果】
【００１４】
この発明に係る高周波分配回路では、出力端子に接続されている負荷回路から与えられる電源電圧や制御信号に従って、各高周波線路の他方端から出力端子に高周波信号を通過させるか、高周波線路の他方端を終端抵抗素子を介して接地させる切換回路が設けられる。したがって、出力端子の使用の有無による受信信号レベルの変動やアイソレーション劣化を防止することができる。また、終端器を使用する場合に比べ、低価格化を図ることができる。
【発明を実施するための最良の形態】
【００１５】
[実施の形態１]
図１は、この発明の実施の形態１による高周波分配回路の構成を示す回路ブロック図である。図１において、この高周波分配回路は、ＬＮＢやＳＷ−ＢＯＸ内に設けられ、入力端子１，２、２×２スイッチ回路３、高周波線路６，７，２４，２５、スイッチ回路８〜１１、終端抵抗素子１２〜１５、コンデンサ１６，１７，２０，２１，２６，２７、増幅器１８，１９、出力端子２２，２３、および制御回路２８，２９を備える。
【００１６】
入力端子１，２には、異なる高周波信号が与えられる。２×２スイッチ回路３は、２つのスイッチ回路４，５を含む。スイッチ回路４の第１の導通端子４ａおよび第２の導通端子４ｂはそれぞれ入力端子１，２に接続され、共通端子４ｃは高周波線路６の一方端に接続される。スイッチ回路４は、２つの入力端子１，２に与えられる２つの高周波信号のうちのいずれかの高周波信号を選択し、選択した高周波信号を高周波線路６の一方端に与える。
【００１７】
スイッチ回路５の第１の導通端子５ａおよび第２の導通端子５ｂはそれぞれ入力端子２，１に接続され、共通端子５ｃは高周波線路７の一方端に接続される。スイッチ回路５は、２つの入力端子２，１に与えられる２つの高周波信号のうちのいずれかの高周波信号を選択し、選択した高周波信号を高周波線路７の一方端に与える。したがって、高周波線路６，７には、同じ高周波信号が与えられる場合もあるし、異なる高周波信号が与えられる場合もある。高周波線路６と７は、同じ寸法および同じ特性インピーダンス（たとえば７５Ω）を有する。
【００１８】
高周波線路６，７の他方端は、それぞれスイッチ回路８，１０の共通端子８ｃ，１０ｃに接続される。スイッチ回路８の第１の導通端子８ａはスイッチ回路９の共通端子９ｃに接続され、スイッチ回路９の第１の導通端子９ａはコンデンサ１６を介して増幅器１８の入力ノードに接続され、増幅器１８の出力ノードはコンデンサ２０を介して出力端子２２に接続される。終端抵抗素子１２は、スイッチ回路８の第２の導通端子８ｂと接地電位ＧＮＤのラインとの間に接続される。終端抵抗素子１３は、スイッチ回路９の第２の導通端子９ｂと接地電位ＧＮＤのラインとの間に接続される。終端抵抗素子１２，１３は、高周波線路６の特性インピーダンスと同じ値の抵抗値（７５Ω）を有する。
【００１９】
制御回路２９からの制御信号φ２９が「Ｈ」レベルの場合は、スイッチ回路８の共通端子８ｃおよび第１の導通端子８ａ間が導通するとともにスイッチ回路９の共通端子９ｃおよび第１の導通端子９ａ間が導通し、高周波線路６からの高周波信号を出力端子２２に通過させる。制御回路２９からの制御信号φ２９が「Ｌ」レベルの場合は、スイッチ回路８の共通端子８ｃおよび第２の導通端子８ｂ間が導通するとともにスイッチ回路９の共通端子８ｃおよび第２の導通端子９ｂ間が導通し、高周波線路６の他方端が終端抵抗素子１２，１３によって終端される。
【００２０】
また、スイッチ回路１０の第１の導通端子１０ａはスイッチ回路１１の共通端子１１ｃに接続され、スイッチ回路１１の第１の導通端子１１ａはコンデンサ１７を介して増幅器１９の入力ノードに接続され、増幅器１９の出力ノードはコンデンサ２１を介して出力端子２３に接続される。終端抵抗素子１４は、スイッチ回路１０の第２の導通端子１０ｂと接地電位ＧＮＤのラインとの間に接続される。終端抵抗素子１５は、スイッチ回路１１の第２の導通端子１１ｂと接地電位ＧＮＤのラインとの間に接続される。終端抵抗素子１４，１５は、高周波線路７の特性インピーダンスと同じ値の抵抗値（７５Ω）を有する。
【００２１】
制御回路２８からの制御信号φ２８が「Ｈ」レベルの場合は、スイッチ回路１０の共通端子１０ｃおよび第１の導通端子１０ａ間が導通するとともにスイッチ回路１１の共通端子１１ｃおよび第１の導通端子１１ａ間が導通し、高周波線路７からの高周波信号を出力端子２３に通過させる。制御回路２８からの制御信号φ２８が「Ｌ」レベルの場合は、スイッチ回路１０の共通端子１０ｃおよび第２の導通端子１０ｂ間が導通するとともにスイッチ回路１１の共通端子１１ｃおよび第２の導通端子１１ｂ間が導通し、高周波線路７の他方端が終端抵抗素子１４，１５によって終端される。
【００２２】
高周波線路２４およびコンデンサ２６は、出力端子２２と接地電位ＧＮＤのラインとの間に直列接続され、高周波信号を遮断し、直流電圧を通過させるローパスフィルタを構成する。制御回路２８は、高周波線路２４とコンデンサ２６の間のノードＮ２４に直流電圧が印加されているか否かを判別し、判別結果に基づいてスイッチ回路１０，１１を制御する。
【００２３】
高周波線路２５およびコンデンサ２７は、出力端子２３と接地電位ＧＮＤのラインとの間に直列接続され、高周波信号を遮断し、直流電圧を通過させるローパスフィルタを構成する。制御回路２９は、高周波線路２５とコンデンサ２７の間のノードＮ２５に直流電圧が印加されているか否かを判別し、判別結果に基づいてスイッチ回路８，９を制御する。
【００２４】
次に、この高周波分配回路の動作について説明する。この高周波分配回路では、出力端子２２，２３のうちのいずれか一方の出力端子のみにレシーバが接続されることが前提とされている。したがって、出力端子２２にレシーバ５４が接続されている場合は出力端子２３にレシーバ５５は接続されておらず、出力端子２３にレシーバ５５が接続されている場合は出力端子２にレシーバ５４は接続されていない。
【００２５】
出力端子２２が同軸線を介してレシーバ５４に接続されているが出力端子２３がレシーバ５５に接続されていない場合、レシーバ５４は同軸線を介してＬＮＢやＳＷ−ＢＯＸの出力端子すなわち高周波分配回路の出力端子１５にＬＮＢやＳＷ−ＢＯＸの電源電圧として直流電圧を供給する。出力端子２２に与えられた直流電圧は、高周波線路２４を介してノードＮ２４に伝達される。制御回路２８は、ノードＮ２４に直流電圧が伝達されたことに応じて制御信号φ２８を「Ｌ」レベルにし、スイッチ回路１０の共通端子１０ｃと第２の導通端子１０ｂとの間を導通させるとともにスイッチ回路１１の共通端子１１ｃと第２の導通端子１１ｂとの間を導通させ、高周波線路７の他方端を終端させる。
【００２６】
一方、制御回路２９は、ノードＮ２５に直流電圧が伝達されていないことに応じて制御信号φ２９を「Ｈ」レベルにし、スイッチ回路８の共通端子８ｃと第１の導通端子８ａとの間を導通させるとともにスイッチ回路９の共通端子９ｃと第１の導通端子９ａとの間を導通させ、高周波信号を出力端子２２に通過させる。ここで、出力端子２２に接続される同軸線の特性インピーダンスは７５Ωであり、レシーバ５４の入力抵抗値は７５Ωであるものとする。高周波線路６を通過した高周波信号は、スイッチ回路８，９、コンデンサ１６、増幅器１８、コンデンサ２０、出力端子２２、および同軸線を介してレシーバ５４に伝達される。
【００２７】
また、出力端子２３が同軸線を介してレシーバ５５に接続されているが出力端子２２がレシーバ５４に接続されていない場合、レシーバ５５は同軸線を介してＬＮＢやＳＷ−ＢＯＸの出力端子すなわち高周波分配回路の出力端子２３にＬＮＢやＳＷ−ＢＯＸの電源電圧として直流電圧を供給する。出力端子２３に与えられた直流電圧は、高周波線路２５を介してノードＮ２５に伝達される。制御回路２９は、ノードＮ２５に直流電圧が伝達されたことに応じて制御信号φ２９を「Ｌ」レベルにし、スイッチ回路８の共通端子８ｃと第２の導通端子８ｂとの間を導通させるとともにスイッチ回路９の共通端子９ｃと第２の導通端子９ｂとの間を導通させ、高周波線路６の他方端を終端させる。
【００２８】
一方、制御回路２８は、ノードＮ２４に直流電圧が伝達されていないことに応じて制御信号φ２８を「Ｈ」レベルにし、スイッチ回路１０の共通端子１０ｃと第１の導通端子１０ａとの間を導通させるとともにスイッチ回路１１の共通端子１１ｃと第１の導通端子１１ａとの間を導通させ、高周波信号を出力端子２３に通過させる。ここで、出力端子２３に接続される同軸線の特性インピーダンスは７５Ωであり、レシーバ５５の入力抵抗値は７５Ωであるものとする。高周波線路７を通過した高周波信号は、スイッチ回路１０，１１、コンデンサ１７、増幅器１９、コンデンサ２１、出力端子２３、および同軸線を介してレシーバ５５に伝達される。
【００２９】
この実施の形態１では、出力端子２２にレシーバ５４が接続されているが出力端子２３にレシーバ５５が接続されていない場合は、高周波線路６の他方端から出力端子２２に高周波信号を通過させるとともに高周波線路７の他方端を終端抵抗素子１４，１５を介して接地させ、出力端子２３にレシーバ５５が接続されているが出力端子２２にレシーバ５４が接続されていない場合は、高周波線路７の他方端から出力端子２３に高周波信号を通過させるとともに高周波線路６の他方端を終端抵抗素子１２，１３を介して接地させる。したがって、他方の出力端子がレシーバに接続されていないことによる受信信号レベルの変動やアイソレーション劣化を防止することができる。また、終端器を使用する場合に比べ、操作性が向上し、外付け部品が不要になるので作業性が向上し、低価格化を図ることができる。
【００３０】
[実施の形態２]
図２は、この発明の実施の形態２による高周波分配回路の構成を示す回路ブロック図である。図２を参照して、この高周波分配回路が図１の高周波分配回路と異なる点は、制御回路２８，２９がそれぞれ制御回路３０，３１で置換され、スイッチ回路８，９が制御回路３０，３１からの制御信号φ３０Ａ，φ３１Ｂによって制御され、スイッチ回路１０，１１が制御回路３０，３１からの制御信号φ３０Ｂ，φ３１Ａによって制御される点である。制御回路３０，３１は、クロック信号ＣＬＫに同期して動作する。クロック信号ＣＬＫは、所定の周期を有し、交互に「Ｈ」レベルまたは「Ｌ」レベルになる信号である。
【００３１】
制御回路３０は、クロック信号ＣＬＫが「Ｈ」レベルの期間においては、制御信号φ３０Ｂを「Ｌ」レベルに固定し、ノードＮ２４に直流電圧が伝達されている場合は制御信号φ３０Ａを「Ｈ」レベルにし、ノードＮ２４に直流電圧が伝達されていない場合は制御信号φ３０Ａを「Ｌ」レベルにする。また、制御回路３０は、クロック信号ＣＬＫが「Ｌ」レベルの期間においては、制御信号φ３０Ａを「Ｌ」レベルに固定し、ノードＮ２４に直流電圧が伝達されている場合は制御信号φ３０Ｂを「Ｌ」レベルにし、ノードＮ２４に直流電圧が伝達されていない場合は制御信号φ３０Ｂを「Ｈ」レベルにする。
【００３２】
制御回路３１は、クロック信号ＣＬＫが「Ｈ」レベルの期間においては、制御信号φ３１Ｂを「Ｌ」レベルに固定し、ノードＮ２５に直流電圧が伝達されている場合は制御信号φ３１Ａを「Ｈ」レベルにし、ノードＮ２５に直流電圧が伝達されていない場合は制御信号φ３１Ａを「Ｌ」レベルにする。また、制御回路３１は、クロック信号ＣＬＫが「Ｌ」レベルの期間においては、制御信号φ３１Ａを「Ｌ」レベルに固定し、ノードＮ２５に直流電圧が伝達されている場合は制御信号φ３１Ｂを「Ｌ」レベルにし、ノードＮ２５に直流電圧が伝達されていない場合は制御信号φ３１Ｂを「Ｈ」レベルにする。
【００３３】
制御回路３０，３１からの制御信号φ３０Ａ，φ３１Ｂのうちのいずれか１つの信号が「Ｈ」レベルの場合は、スイッチ回路８の共通端子８ｃおよび第１の導通端子８ａ間が導通するとともにスイッチ回路９の共通端子９ｃおよび第１の導通端子９ａ間が導通し、高周波線路６からの高周波信号を出力端子２２に通過させる。制御回路３０，３１からの制御信号φ３０Ａ，φ３１Ｂがともに「Ｌ」レベルの場合は、スイッチ回路８の共通端子８ｃおよび第２の導通端子８ｂ間が導通するとともにスイッチ回路９の共通端子９ｃおよび第２の導通端子９ｂ間が導通し、高周波線路６の他方端が抵抗素子１２，１３によって終端される。
【００３４】
制御回路３０，３１からの制御信号φ３０Ｂ，φ３１Ａのうちのいずれか１つの信号が「Ｈ」レベルの場合は、スイッチ回路１０の共通端子１０ｃおよび第１の導通端子１０ａ間が導通するとともにスイッチ回路１１の共通端子１１ｃおよび第１の導通端子１１ａ間が導通し、高周波線路７からの高周波信号を出力端子２３に通過させる。制御回路３０，３１からの制御信号φ３０Ｂ，φ３１Ａがともに「Ｌ」レベルの場合は、スイッチ回路１０の共通端子１０ｃおよび第２の導通端子１０ｂ間が導通するとともにスイッチ回路１１の共通端子１１ｃおよび第２の導通端子１１ｂ間が導通し、高周波線路７の他方端が抵抗素子１４，１５によって終端される。
【００３５】
次に、この高周波分配回路の動作について説明する。この高周波分配回路では、出力端子２２，２３のうちのいずれか一方の出力端子のみにレシーバが接続されることが前提とされている。したがって、出力端子２２にレシーバ５４が接続されている場合は出力端子２３にレシーバ５５は接続されておらず、出力端子２３にレシーバ５５が接続されている場合は出力端子２にレシーバ５４は接続されていない。
【００３６】
出力端子２２にレシーバ５４が接続されているが出力端子２３にレシーバ５５は接続されていない場合、レシーバ５４は同軸線を介してＬＮＢやＳＷ−ＢＯＸの出力端子すなわち高周波分配回路の出力端子１５にＬＮＢやＳＷ−ＢＯＸの電源電圧として直流電圧を供給する。出力端子２２に与えられた直流電圧は、高周波線路２４を介してノードＮ２４に伝達される。
【００３７】
クロック信号ＣＬＫが「Ｈ」レベルの期間においては、制御回路３０は、ノードＮ２４に直流電圧が伝達されたことに応じて制御信号φ３０Ａ，φ３０Ｂをそれぞれ「Ｈ」レベルおよび「Ｌ」レベルにし、制御回路３１は、ノードＮ２５に直流電圧が伝達されていないことに応じて制御信号φ３１Ａ，φ３１Ｂをともに「Ｌ」レベルにする。また、クロック信号ＣＬＫが「Ｌ」レベルの期間においては、制御回路３０は、ノードＮ２４に直流電圧が伝達されたことに応じて制御信号φ３０Ａ，φ３０Ｂをともに「Ｌ」レベルにし、制御回路３１は、ノードＮ２５に直流電圧が伝達されていないことに応じて制御信号φ３１Ａ，φ３１Ｂをそれぞれ「Ｌ」レベルおよび「Ｈ」レベルにする。
【００３８】
したがって、クロック信号ＣＬＫが「Ｈ」レベルの期間と「Ｌ」レベルの期間のいずれの期間においても、スイッチ回路１０の共通端子１０ｃと第２の導通端子１０ｂとの間が導通するとともにスイッチ回路１１の共通端子１１ｃと第２の導通端子１１ｂとの間が導通し、高周波線路７の他方端が終端される。また、スイッチ回路８の共通端子８ｃと第１の導通端子８ａとの間が導通するとともにスイッチ回路９の共通端子９ｃと第１の導通端子９ａとの間が導通し、高周波信号を出力端子２２に通過させる。
【００３９】
また、出力端子２３にレシーバ５５が接続されているが出力端子２２にレシーバ５４は接続されていない場合、レシーバ５５は同軸線を介してＬＮＢやＳＷ−ＢＯＸの出力端子すなわち高周波分配回路の出力端子２３にＬＮＢやＳＷ−ＢＯＸの電源電圧として直流電圧を供給する。出力端子２３に与えられた直流電圧は、高周波線路２５を介してノードＮ２５に伝達される。
【００４０】
クロック信号ＣＬＫが「Ｈ」レベルの期間においては、制御回路３０は、ノードＮ２４に直流電圧が伝達されていないことに応じて制御信号φ３０Ａ，φ３０Ｂをともに「Ｌ」レベルにし、制御回路３１は、ノードＮ２５に直流電圧が伝達されていることに応じて制御信号φ３１Ａ，φ３１Ｂをそれぞれ「Ｈ」レベルおよび「Ｌ」レベルにする。また、クロック信号ＣＬＫが「Ｌ」レベルの期間においては、制御回路３０は、ノードＮ２４に直流電圧が伝達されていないことに応じて制御信号φ３０Ａ，φ３０Ｂをそれぞれ「Ｌ」レベルおよび「Ｈ」レベルにし、制御回路３１は、ノードＮ２５に直流電圧が伝達されていることに応じて制御信号φ３１Ａ，φ３１Ｂをそれぞれ「Ｈ」レベルおよび「Ｌ」レベルにする。
【００４１】
したがって、クロック信号ＣＬＫが「Ｈ」レベルの期間と「Ｌ」レベルの期間のいずれの期間においても、スイッチ回路８の共通端子８ｃと第２の導通端子８ｂとの間が導通するとともにスイッチ回路９の共通端子９ｃと第２の導通端子９ｂとの間が導通し、高周波線路６の他方端が終端される。また、スイッチ回路１０の共通端子１０ｃと第１の導通端子１０ａとの間が導通するとともにスイッチ回路１１の共通端子１１ｃと第１の導通端子１１ａとの間が導通し、高周波信号を出力端子２３に通過させる。
【００４２】
この実施の形態２でも、実施の形態１と同じ効果が得られる。
[実施の形態３]
図３は、この発明の実施の形態３による高周波分配回路の構成を示す回路ブロック図である。図３を参照して、この高周波分配回路が図１の高周波分配回路と異なる点は、制御回路２８，２９が制御回路３２で置換されている点である。
【００４３】
制御回路３２は、ノードＮ２４に直流電圧が伝達されている場合は制御信号φ２９を「Ｈ」レベルにし、ノードＮ２４に直流電圧が伝達されていない場合は制御信号φ２９を「Ｌ」レベルにし、ノードＮ２５に直流電圧が伝達されている場合は制御信号φ２８を「Ｈ」レベルにし、ノードＮ２５に直流電圧が伝達されていない場合は制御信号φ２８を「Ｌ」レベルにする。
【００４４】
ノードＮ２４に直流電圧が伝達されているがノードＮ２５に直流電圧が伝達されていない場合は、制御信号φ２９，φ２８はそれぞれ「Ｈ」レベルおよび「Ｌ」レベルになり、スイッチ回路８の共通端子８ｃおよび第１の導通端子８ａ間が導通するとともにスイッチ回路９の共通端子９ｃおよび第１の導通端子９ａ間が導通し、高周波信号が出力端子２２に通過する。また、スイッチ回路１０の共通端子１０ｃおよび第２の導通端子１０ｂ間が導通するとともにスイッチ回路１１の共通端子１１ｃおよび第２の導通端子１１ｂ間が導通し、高周波線路７が抵抗素子１４，１５によって終端される。
【００４５】
ノードＮ２５に直流電圧が伝達されているがノードＮ２４に直流電圧が伝達されていない場合は、制御信号φ２９，φ２８はそれぞれ「Ｌ」レベルおよび「Ｈ」レベルになり、スイッチ回路１０の共通端子１０ｃおよび第１の導通端子１０ａ間が導通するとともにスイッチ回路１１の共通端子１１ｃおよび第１の導通端子１１ａ間が導通し、高周波信号が出力端子２３に通過する。また、スイッチ回路８の共通端子８ｃおよび第２の導通端子８ｂ間が導通するとともにスイッチ回路９の共通端子９ｃおよび第２の導通端子９ｂ間が導通し、高周波線路６が抵抗素子１２，１３によって終端される。
【００４６】
ノードＮ２４，Ｎ２５の両方に直流電圧が伝達されている場合は、制御信号φ２９，φ２８はともに「Ｈ」レベルになり、スイッチ回路８の共通端子８ｃおよび第１の導通端子８ａ間が導通するとともにスイッチ回路９の共通端子９ｃおよび第１の導通端子９ａ間が導通し、高周波信号が出力端子２２に通過する。また、スイッチ回路１０の共通端子１０ｃおよび第１の導通端子１０ａ間が導通するとともにスイッチ回路１１の共通端子１１ｃおよび第１の導通端子１１ａ間が導通し、高周波信号が出力端子２３に通過する。
【００４７】
ノードＮ２４，Ｎ２５の両方に直流電圧が伝達されていない場合は、制御信号φ２９，φ２８はともに「Ｌ」レベルになり、スイッチ回路８の共通端子８ｃおよび第２の導通端子８ｂ間が導通するとともにスイッチ回路９の共通端子９ｃおよび第２の導通端子９ｂ間が導通し、高周波線路６が抵抗素子１２，１３によって終端される。また、スイッチ回路１０の共通端子１０ｃおよび第２の導通端子１０ｂ間が導通するとともにスイッチ回路１１の共通端子１１ｃおよび第２の導通端子１１ｂ間が導通し、高周波線路７が抵抗素子１４，１５によって終端される。
【００４８】
この実施の形態３でも、実施の形態１と同じ効果が得られる。
[実施の形態４]
図４は、この発明の実施の形態４によるＬＮＢの構成を示す回路ブロック図である。図４において、このＬＮＢは、フィードホーン３５、ＬＮＡ３６，３７、バンドパスフィルタ３８，３９、ミキサ回路４０，４１、ローカル発振回路４２、高周波分配回路４３、出力端子４４，４５、コイル４６，４７、ダイオード４８，４９、および電源回路５０を備える。
【００４９】
フィードホーン３５で受信された水平偏波信号φｈおよび垂直偏波信号φｖは、それぞれＬＮＡ３６，３７に入力される。信号φｈはＬＮＡ３６で低雑音増幅されてバンドパスフィルタ３８ｃに与えられ、信号φｖはＬＮＡ３７で低雑音増幅されてバンドパスフィルタ３９に与えられる。バンドパスフィルタ３８，３９は、それぞれ信号φｈ，φｖのうちの所定の周波数帯域の信号成分のみを通過させる。
【００５０】
バンドパスフィルタ３８，３９を通過した信号φｈ１，φｖ１は、それぞれミキサ回路４０，４１に与えられる。ローカル発振回路４２は、所定周波数の高周波信号を生成してミキサ回路４０，４１に与える。信号φｈ１，φｖ１は、それぞれミキサ回路４０，４１によって所定周波数のＩＦ信号φ１，φ２に変換される。ＩＦ信号φ１，φ２は、それぞれ高周波分配回路４３の入力端子１，２に与えられる。
【００５１】
高周波分配回路４３は、図１〜図３で示した高周波分配回路のうちのいずれかの回路である。高周波分配回路４３は、入力端子１，２に与えられたＩＦ信号φ１，φ２のうちの出力端子２２に関して選択されたＩＦ信号を出力端子２２に与えるとともに、出力端子２３に関して選択されたＩＦ信号を出力端子２３に与える。高周波分配回路４３の出力端子２２，２３は、それぞれＬＮＢの出力端子４４，４５に接続される。
【００５２】
コイル４６，４７の一方端はそれぞれ出力端子４４，４５に接続され、コイル４６，４７の他方端はそれぞれダイオード４８，４９のアノードに接続され、ダイオード４８，４９のカソードはともに電源回路４８に接続される。コイル４６，４７は、出力端子４４，４５に接続されたレシーバ５４，５５からの直流電圧を電源回路５０に通過させ、高周波分配回路４３からのＩＦ信号を遮断するローパスフィルタを構成する。ダイオード４８，４９は、出力端子４４，４５に与えられた直流電圧のうちの高い方の直流電圧を電源回路５０に与える。
【００５３】
電源回路５０は、ダイオード４８，４９を介して与えられた直流電圧に基づいて電源電圧を生成し、生成した電源電圧をＬＮＡ３６，３７、ローカル発振器４２、高周波分配回路４３などに与える。
【００５４】
この実施の形態４でも、実施の形態１と同じ効果が得られる。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５５】
【図１】この発明の実施の形態１による高周波分配回路の構成を示す回路ブロック図である。
【図２】この発明の実施の形態２による高周波分配回路の構成を示す回路ブロック図である。
【図３】この発明の実施の形態３による高周波分配回路の構成を示す回路ブロック図である。
【図４】この発明の実施の形態４によるＬＮＢの構成を示す回路ブロック図である。
【図５】従来の衛星放送システムの受信部の構成を示すブロック図である。
【符号の説明】
【００５６】
１，２  入力端子、３  ２×２スイッチ回路、４，５，８，９，１０，１１  スイッチ回路、６，７，２４，２５  高周波線路、１２〜１５  終端抵抗素子、４ａ，５ａ，８ａ，９ａ，１０ａ，１１ａ  第１の導通端子、４ｂ，５ｂ，８ｂ，９ｂ，１０ｂ，１１ｂ  第２の導通端子、４ｃ，５ｃ，８ｃ，９ｃ，１０ｃ，１１ｃ  共通端子、１６，１７，２０，２１，２６，２７  コンデンサ、１８，１９  増幅器、２２，２３，４４，４５  出力端子、２８〜３２  制御回路、３５  フィードホーン、３６，３７  ＬＮＡ、３８，３９  バンドパスフィルタ、４０，４１  ミキサ回路、４２  ローカル発振回路、４３  高周波分配回路、４６，４７  コイル、４８，４９  ダイオード、５０  電源回路、５１  反射器、５２  ＬＮＢ、５３  アンテナ、５４，５５  レシーバ、５６，５７  テレビ受像機。
【図１】
2008035325.tif 000003
【図２】
2008035325.tif 000004
【図３】
2008035325.tif 000005
【図４】
2008035325.tif 000006
【図５】
2008035325.tif 000007